(57)【要約】【課題】耐震性能を有し、採光性、透視性、意匠性を向上させることができるとともに、現場での施工性に優れる耐震用フレームユニットを提供する。【解決手段】本発明の耐震用フレームユニット１０は、枠状に構成された金属製部材３０と、金属製部材３０の各々の隅部に設けられたＬ字形状の耐震用金物３２、３２…とからなり、金属製部材３０と耐震用金物３２、３２…とが一体化されている。耐震用金物３２は、柱１６、１８と小梁１４との連結部に、双方の部材を連結するように固定されるとともに、柱１６、１８と土台１２との連結部に、双方の部材を連結するように固定される。耐震用金物３２は、Ｌ字の板状に構成され、その水平片部３２Ａが金属製部材３０の上横材３０Ａに形成された収納用凹部３１Ａに収納され、その上下片部３２Ｂが縦材３０Ｂに形成された収納用凹部３１Ｂに収納される。【選択図】図６
2009046945.tif 000002
【特許請求の範囲】
【請求項１】
建築物の柱と横架材との連結部に取り付けられる耐震用金物と、前記柱と横架材に取り付けられる金属製部材とから構成され、前記金属製部材に前記耐震用金物の収容部が形成され、該収容部に前記耐震用金物が収容されることにより前記耐震用金物と前記金属製部材とが一体化されフレームが構成されることを特徴とする耐震用フレームユニット。
【請求項２】
前記金属製部材はサッシフレームを構成する形状に形成されている請求項１に記載の耐震用フレームユニット。
【請求項３】
前記フレームに、サッシフレーム又はフレーム付き外壁パネルが、取付手段を介して取り付けできる請求項１に記載の耐震用フレームユニット。
【請求項４】
前記フレームに、前記サッシフレーム又は前記フレーム付き外壁パネルが、前記取付手段を介して着脱できる請求項３に記載の耐震用フレームユニット。
【発明の詳細な説明】
【技術分野】
【０００１】
本発明は、建築物の壁面の耐震性を確保するために壁面の窓用開口部に取り付けられる耐震用フレームユニットに関する
【背景技術】
【０００２】
建築物の設計時には、それぞれ構造体の種類によって定められた手法により、耐震設計が行われる。例えば木造建築物では、耐震性を確保するために、壁量設計が行われており、この壁量設計によって、平面図の縦横それぞれの方向について、当該建築物の耐力壁の必要長さが決定される。
【０００３】
このような建築物に用いられる耐力壁としては、従来から柱、梁、及び土台で囲まれた架構面の開口部に筋交いを設けたり、柱及び梁に構造用合板を釘止めしたり、柱と梁や柱と土台にＬ字形状の耐震用金物を釘止めしたりした構造のものが知られている。このように一般的に用いられている耐力壁は、建築基準法施工令により壁倍率が定められており、「壁倍率×耐力壁の長さ」で算出される壁量が、前述の壁量設計値を満たすように耐力壁が設計される。なお、「耐力壁の長さ」とは、建築物の平面図上に示される長さのことである。
【０００４】
ところで、採光性を高めるために壁面に窓を施工する場合、壁面に窓用開口部を形成するとともに、この窓用開口部にサッシフレームを取り付け、このサッシフレームに窓ガラスを嵌め込んで構成するのが一般的である。この場合、サッシフレームのみでは壁倍率を得ることができないため、その壁面を耐力壁に構成したい場合には、特許文献１の窓構造の如く、窓用開口部に筋交いを設けて所望の壁倍率を得るようにしている。特許文献１には、外枠と内枠、及び筋交いであるブレス材（特許文献１の図４参照）とからなる耐震サッシが開示されている。この耐震サッシには引戸障子、網戸が設けられている。
【０００５】
また、特許文献２には、複数の枠体を引っ張り縦接合金具と引っ張り横接合金具とによって接合して耐震開口フレームを構成し、この耐震開口フレームを壁面の窓用開口部の内周面に設けた窓構造体が開示されている。
【０００６】
更に、特許文献３には、４枚の木質の枠体を引っ張り縦接合金具と引っ張り横接合金具とによって接合して耐震開口フレームを構成し、この耐震開口フレームを壁面の窓用開口部を画成する柱、梁、土台の側面に外付けする窓構造体が開示されている。また、この特許文献３には、耐震開口フレームの隅部の枠体連結部にＬ字状の接合金物を取り付けて補強することが開示されている。すなわち、特許文献３の図２１には、２枚のＬ型プレートを枠体の内側及び外側に取り付ける例が開示され、図２２、図２３には枠体の側面に接合金物を取り付ける例が開示されている。
【０００７】
なお、筋交いによる壁倍率については、筋交いの大きさにより１〜３、たすき掛けにした筋交いは２〜５である（建築基準法施工令参照）ことが知られている。
【０００８】
また、窓構造体としては、窓ガラスをサッシフレームに嵌め込んだＦＩＸ窓、開き窓、引き違い窓、窓ガラスがすべりながら開閉する縦すべり出し窓及び横すべり出し窓、ルーバー窓、上げ下げ窓等が知られており、ドアも一種の窓構造体とみなされる。
【特許文献１】特開２００５−１３９８８４号公報
【特許文献２】特開２００５−７６４５０号公報
【特許文献３】実用新案登録第３０９９９４９号公報
【発明の開示】
【発明が解決しようとする課題】
【０００９】
しかしながら、特許文献１の窓構造は、筋交いであるブレス材が窓ガラスを介して建築物の外からはっきりと大きく見えるため、採光性及び透視性が悪く、窓構造体として意匠性が劣るという問題があった。また、この窓を人が出入り可能な出入口とすることはできなかった。
【００１０】
このような問題は、特許文献３等に記載されたＬ字形状の耐震用金物を釘止めした構成の窓構造体を適用することにより解消できる。すなわち、Ｌ字形状の耐震用金物を梁と柱との連結部、土台と柱との連結部に取り付けることにより、土台、柱、及び梁で囲まれる架構面を耐震性のある窓用開口部として形成し、この窓用開口部にサッシを取り付けることにより解消できる。この窓構造によれば、耐震用金物は筋交いよりも目立たないため、採光性、透視性、及び意匠性を損ねることはない。
【００１１】
しかしながら、耐震用金物を窓用開口部の隅部に取り付け、その窓用開口部にサッシを取り付ける場合、耐震用金物が邪魔になることから、窓用開口部に対するサッシの納まりが悪くなり、現場での施工性が悪いという問題があった。
【００１２】
本発明は、このような事情に鑑みてなされたもので、耐震性能を有し、採光性、透視性、意匠性を向上させることができるとともに、現場での施工性に優れる耐震用フレームユニットを提供することを目的とする。
【課題を解決するための手段】
【００１３】
請求項１に記載の耐震用フレームユニットの発明は、前記目的を達成するために、建築物の柱と横架材との連結部に取り付けられる耐震用金物と、前記柱と横架材に取り付けられる金属製部材とから構成され、前記金属製部材に前記耐震用金物の収容部が形成され、該収容部に前記耐震用金物が収容されることにより前記耐震用金物と前記金属製部材とが一体化されフレームが構成されることを特徴とする。
【００１４】
請求項１に記載の発明は、建築物の柱と横架材とによって囲まれる開口面積の大きい架構面を、遮るもののない窓用開口部として利用することにより採光性、透視性、又は通気性を最大限に取得することを基本としている。前記窓用開口部を構成する際、枠状の金属製部材と建築物の窓用開口部（躯体）を補強するための耐震用金物とが予め一体化されてフレームとして構成された耐震用フレームユニットを、横架材と柱に取り付ける。耐震用金物を使用することによって、筋交いを入れた壁面と同等の耐震性能（壁倍率）を有する耐力壁を構成することができ、また、筋交いを入れた窓用開口部と比較して採光性、透視性、及び意匠性が向上するという利点がある。更に、金属製部材と耐震用金物は予め一体化しているため、現場で耐震用金物を個別に取り付ける必要がなく、個々の耐震用金物の取付位置精度はほとんど問題とならず、同時に取り付けることができるため施工性も良好となる。なお、金属製部材は、成形性のよいアルミニウム製とすることが好ましい。また、耐震用金物はＬ字形状であることが、前記連結部のコーナー部に取り付ける取付性の観点から好ましい。
【００１５】
一方、金属製部材は、窓用開口部を画成する２本の柱に取り付けられる２本の縦材と、上下の横架材に取り付けられる２本の横材とからなることが好ましく、これらの縦材と横材とを枠状に接合することにより枠状に構成される。縦材、横材をアルミニウムによる押し出し成形により製造する場合、耐震用金物を収容するための収容部を容易に成形することができ、この収容部に耐震用金物を収容することにより、耐震用金物は金属製部材から出っ張らず、よって、窓用開口部に対する金属製部材の納まりが良好となる。なお、アルミニウムに限らず鋼材の場合には、金属製部材の一部を切欠き、その切欠部に耐震用金物を嵌め込むとともに、耐震用金物の面を金属製部材の面と面一にすることによっても、金属製部材から耐震用金物が出っ張るのを防止できる。すなわち、耐震用金物と金属製部材とを一体化するに当たっては、金属製部材から耐震用金物が出っ張るのを防止するように一体化することが前記納まりの点で好ましい。なお、横架材とは、梁（大梁、小梁、付梁等）、土台、鴨居、窓台等の水平に架け渡される構造材、造作材を意味する。
【００１６】
請求項２に記載の発明は、請求項１において、前記金属製部材はサッシフレームを構成する形状に形成されていることを特徴とする。
【００１７】
請求項２に記載の発明によれば、サッシフレームを構成する形状に金属製部材を形成することにより、金属製部材にサッシフレームを構成する形状が一体に形成され、予めサッシフレームが一体化された耐震用フレームユニットを窓用開口部に取り付けることができるので、耐震用金物との干渉が生ずることがなく、また、耐震金物補強工事とサッシ工事とが１つの工程で完結する。よって、現場での施工性に優れるので好ましい。アルミニウムの押し出し成形品とすることにより、金属製部材にサッシフレームを構成する形状を容易に一体化できる。なお、本発明の効果を損なわない限り、フレーム（耐震用フレームユニット）の全周（例えば４辺）にわたってサッシフレームを構成する部材が金属製部材に一体化されていなくても、一部のみが一体化されていてもよい。
【００１８】
請求項３に記載の発明は、請求項１において、前記フレームに、サッシフレーム又はフレーム付き外壁パネルが、取付手段を介して取り付けできることを特徴とする。
【００１９】
請求項３に記載の発明によれば、フレームとは別体で形成されたサッシフレーム又はフレーム付き外壁パネルが、フレームに取り付けられて一体化されることにより、サッシフレーム又はフレーム付き外壁パネルの標準品をフレーム（耐震用フレームユニット）に装着できるので、各種タイプの開口部（窓）や外壁パネルに容易に対応することができるので好ましい。なお、本発明の効果を損なわない限り、フレーム（耐震用フレームユニット）の全周（例えば４辺）にわたってサッシフレーム又はフレーム付き外壁パネルが取り付けられていなくても、一部のみに取り付けられていてもよい。
【００２０】
請求項４に記載の発明は、請求項３において、前記フレームに、前記サッシフレーム又は前記フレーム付き外壁パネルが、前記取付手段を介して着脱できることを特徴とする。
【００２１】
請求項４に記載の発明によれば、サッシフレーム又はフレーム付き外壁パネルがフレームに、ねじ、又は木ねじ等の取付手段によって着脱自在に取り付けられるので、リフォーム等でフレーム（耐震用フレームユニット）に装着されたサッシフレームやフレーム付き外壁パネルを交換する際、内外装工事を必ずしも要しない。また、耐震用金物と金属製部材とが一体化された耐震用フレームユニットによって耐震性能が担保されているので、サッシフレームやフレーム付き外壁パネルを交換しても、耐震性能は変わらない。なお、サッシフレーム又はフレーム付き外壁パネルを、取付手段によって、フレームを介して建築物の躯体側に対し着脱させてもよい。
【発明の効果】
【００２２】
本発明に係る耐震用フレームユニットの発明によれば、耐震用金物と金属製部材とを一体化させるとともに耐震用金物を金属製部材に形成された収容部に収容したので、耐震性能を有し、採光性、透視性、意匠性を向上させることができるとともに、現場での施工性が良好となる。
【発明を実施するための最良の形態】
【００２３】
以下、添付図面に従って本発明に係る耐震用フレームユニットの好ましい実施の形態について詳説する。なお、本発明は以下に示す実施の形態ないし試験結果に限定されるものではなく、本発明の要旨を逸脱しない範囲での種々の設計変更等が可能である。
【００２４】
図１は、木造建築物の壁面を構成する土台１２、小梁１４、及び左右両側の柱１６、１８によって囲まれた架構面の窓用開口部２０に、第１の実施の形態の耐震用フレームユニット１０が取り付けられた正面図を示している。耐震用フレームユニット１０の内周縁部には、図２、図３、図４、図５に示すサッシフレーム２２（図１では省略）が取り付けられている。このサッシフレーム２２に、窓ガラスである複層ガラス２４が嵌め込まれるとともに、グレージング材２５によってサッシフレーム２２に支持されることにより窓構造体２６が構成されている。よって、図１に示す窓構造体２６は、耐震用フレームユニット１０、サッシフレーム２２、及び複層ガラス２４からなるＦＩＸ窓となっている。
【００２５】
なお、複層ガラス２４は、スペーサを介して２枚のガラス板を離間して配置するとともに、その周部にシーリング材を打設して構成された中空密閉構造の周知のガラス製品である。また、図２は、図１のＡ−Ａ線に沿う断面図であり、図３は、図１のＢ−Ｂ線に沿う断面図である。図４は、図２の耐震用フレームユニット１０からサッシフレーム２２を取り外した状態を示す説明図であり、このサッシフレーム２２は図２に示すねじ２３等によって耐震用フレームユニット１０に固定される。図５は、図３の耐震用フレームユニット１０からサッシフレーム２２を取り外した状態を示す説明図であり、このサッシフレーム２２は図３に示すねじ２３等によって耐震用フレームユニット１０に固定される。すなわち、この窓構造体２６は、耐震用フレームユニット１０とサッシフレーム２２とが別体型のものである。更に、図１では、天井境界部の小梁１４に耐震用フレームユニット１０が取り付けられた例を示しているが、吹き抜け構造の建築物の場合は、小梁１４ではなく大梁２８に耐震用フレームユニット１０が取り付けられる。
【００２６】
耐震用フレームユニット１０は、図１に示すように枠状に構成された金属製部材３０と、金属製部材３０の各々の隅部に設けられたＬ字形状の耐震用金物３２、３２…とからなり、金属製部材３０と耐震用金物３２、３２…とが一体化されている。なお、耐震用金物の形状はＬ字形状に限定されるものではないが、前記隅部（コーナー部）に取り付ける取付性の観点からＬ字形状が好ましい。
【００２７】
金属製部材３０は上横材３０Ａ、２本の縦材３０Ｂ、３０Ｃ、及び下横材３０Ｄからなる。これらの４本の枠材３０Ａ〜３０Ｄを矩形状に組み付けて接合することにより、金属製部材３０が枠状に構成される。そして、金属製部材３０の上横材３０Ａは、図２の如く釘３４、３４…（図２では２本のみ図示）によって小梁１４に固定され、縦材３０Ｂは、図３の如く釘３４、３４…（図３では２本のみ図示）によって柱１８に固定される。同様に、図１の如く縦材３０Ｃは、不図示の釘によって柱１６に固定され、下横材３０Ｄは、不図示の釘によって土台１２に固定される。この金属製部材３０は、鉄、鋼等の鋼材でもよいが、成形性が良好な点でアルミニウム製とすることが好ましい。
【００２８】
耐震用金物３２は、柱１６、１８と小梁１４との連結部に、双方の部材を連結するように固定されるとともに、柱１６、１８と土台１２との連結部に、双方の部材を連結するように固定される。この固定方法は、図２、図３に示した釘３４によって金属製部材３０と一緒に固定される。
【００２９】
また、耐震用金物３２は、図６に示すようにＬ字の板状に構成され、その水平片部３２Ａが上横材３０Ａ（下横材３０Ｄ）に形成された収納用凹部３１Ａに収納され、その上下片部３２Ｂが縦材３０Ｂ（３０Ｃ）に形成された収納用凹部３１Ｂに収納される。収納用凹部３１Ａ、３１Ｂは、水平片部３２Ａ及び上下片部３２Ｂを収納可能な深さに形成されている。これにより、耐震用金物３２は、金属製部材３０から出っ張ることなく金属製部材３０に収納されて金属製部材３０と一体化される。この一体化構成によって、窓用開口部２０に対する金属製部材３０の納まりが良好となる。
【００３０】
更に、耐震用金物３２の水平片部３２Ａには一対の孔３６、３６が形成され、上下片部３２Ｂも同様に一対の孔３８、３８が形成されている。一対の孔３６、３６は、水平片部３２Ａが収納用凹部３１Ａに完全に収納された際に、上横材３０Ａ（下横材３０Ｄ）に形成された一対の孔４０、４０に合致される。この合致された孔４０、３６を介して図２に示した連結ピン３５と釘３４が挿入され、そして、この釘３４は構造用合板４２を介して小梁１４（土台１２）に打ち込まれる。同様に、図６に示した一対の孔３８、３８は、上下片部３２Ｂが収納用凹部３１Ｂに完全に収納された際に、縦材３０Ｂ（縦材３０Ｃ）に形成された一対の孔４４、４４に合致される。この合致された孔４４、３８を介して図３に示した連結ピン３５と釘３４が挿入され、そして、この釘３４が構造用合板４２を介して柱１８（１６）に打ち込まれる。これによって、枠状に構成された金属製部材３０が窓用開口部２０に固定されると同時に、耐震用金物３２、３２…が柱１６、１８と小梁１４との連結部、柱１６、１８と土台１２との連結部にそれぞれ固定される。
【００３１】
以上の固定方法により、耐震用フレームユニット１０が窓用開口部２０に固定され、そして、この窓用開口部２０が形成された壁面は耐震用フレームユニット１０を構成する耐震用金物３２、３２…によって所定の壁倍率を有する壁構造体となる。なお、収納用凹部３１Ａ、３１Ｂは、金属製部材３０をアルミニウムの押し出し成形品とすることにより容易に成形することができる。
【００３２】
上記の如く構成された耐震用フレームユニット１０、及び窓構造体２６の特徴について説明する。
【００３３】
この窓構造体２６は、木造建築物の土台１２と柱１６、１８と小梁１４とによって囲まれる開口面積の大きい架構面を、窓用開口部２０として利用しているので採光性、透視性を最大限に取得することができる。また、窓構造体２６を、ＦＩＸ窓でなく、引き違い窓等とした場合、良好な通気性も得られる。そして、窓用開口部２０を構成する際、複層ガラス２４を納めるためのサッシフレーム２２が取り付けられる金属製部材３０と建築物の躯体を補強するための４本のＬ字状の耐震用金物３２、３２…とを図６の如く一体化して図１のようにフレーム（耐震用フレームユニット１０）を構成し、土台１２、柱１６、１８、及び小梁１４に耐震用金物３２、３２…を介して金属製部材３０を固定している。この耐震用金物３２、３２…を使用することによって、筋交いを入れた壁面と同等の耐震性能（壁倍率）を有する耐力壁を構成することができ、また、この窓構造体２６は、サッシフレーム２２に窓ガラスである複層ガラス２４を嵌め込んでいるので、筋交いを入れた窓構造体と比較して採光性、透視性、及び意匠性が向上する。更に、この耐震用フレームユニット１０によれば、金属製部材３０と耐震用金物３２、３２…が一体化しているため、同時に躯体側に取り付けることができ、施工性も良好となる。
【００３４】
また、フレーム（耐震用フレームユニット１０）とは別体で形成されたサッシフレーム２２が、金属製部材３０に取り付けられてフレームと一体化されることにより、サッシフレームの標準品を耐震用フレームユニット１０に装着できるので、各種サイズの開口部に容易に対応することができる。なお、サッシフレーム２２に代えてフレーム付き外壁パネルを用いた場合でも、同様の効果を得ることができる。
【００３５】
ここで、図２〜図５に示した他の部材について説明する。
【００３６】
符号４６は外装材であり、下地材４８を介して構造用合板４２に取り付けられる。符号５０はシーリング材、符号５２はバッカーであり、シーリング材５０及びバッカー５２を介して外装材４６の周縁部がサッシフレーム２２に気密、水密状態で取り付けられる。符号５４は額縁であり、この額縁５４は下地材５６を介して小梁１４（土台１２）に固定され（図２参照）、また、ライナー５８を介して柱１８（１６）に固定される（図３参照）。また、符号６０は内装材であり、この内装材６０は下地材６２を介して小梁１４（土台１２）に固定され（図２参照）、また、下地材６２を介して柱１８（１６）に固定される（図３参照）。
【００３７】
図７、図８は、第２の実施の形態に係る耐震用フレームユニット１００が示されており、この耐震用フレームユニット１００を説明するに当たり、図１〜図６に示した耐震用フレームユニット１０と同一若しくは類似の部材については同一の符号を付し、その説明は省略する。
【００３８】
金属製部材３０を構成する枠材３０Ａ〜３０Ｄにサッシフレーム２２を構成する形状が一体に形成され、サッシフレーム２２が耐震用フレームユニット１００に一体化されている。また、図７に示すように耐震用フレームユニット１００の上枠部が釘３４によって小梁１４（土台１２）に固定されるとともに、釘６４によって額縁５４の上枠部に固定される。また、耐震用フレームユニット１００は、図８に示すように耐震用フレームユニット１００の縦枠部が釘３４によって柱１８（１６）に固定されるとともに、釘６４によって額縁５４の縦枠部に固定される。
【００３９】
この耐震用フレームユニット１００によれば、金属製部材３０を構成する枠材３０Ａ〜３０Ｄにサッシフレーム２２を構成する形状を一体に形成し、枠状に構成された金属製部材３０とサッシフレーム２２とを一体化させたので、予めサッシフレーム２２が一体化された耐震用フレームユニット１００を窓用開口部に取り付けることができ、耐震用金物３２との干渉が生ずることがなく、また、耐震金物補強工事とサッシ工事とが１つの工程で完結するため、現場での施工が容易となる。また、アルミニウムの押し出し成形品とすることにより、金属製部材３０（枠材３０Ａ〜３０Ｄ）にサッシフレーム２２を構成する形状を容易に一体化できる。更に、図７、図８に示した窓構造体も、図１〜図６に示した窓構造体２６と同様の効果を得ることができる。
【００４０】
図９、図１０は、第３の実施の形態に係る耐震用フレームユニット１１０が示されており、この耐震用フレームユニット１１０を説明するに当たり、図１〜図６に示した耐震用フレームユニット１０と同一若しくは類似の部材については同一の符号を付し、その説明は省略する。
【００４１】
金属製部材３０を構成する枠材３０Ａ〜３０Ｄに引き違い窓用のサッシフレーム７０を構成する形状が一体に形成され、サッシフレーム７０が耐震用フレームユニット１１０に一体化されている。このサッシフレーム７０には、外窓の枠体７６を開閉方向に走行させるガイドレール７８と、内窓の枠体８０を走行させるガイドレール８２とが形成されている。
【００４２】
この耐震用フレームユニット１１０によれば、金属製部材３０を構成する枠材３０Ａ〜３０Ｄに引き違い窓用のサッシフレーム７０を構成する形状を一体に形成し、枠状に構成された金属製部材３０とサッシフレーム７０とを一体化させたので、予めサッシフレーム７０が一体化された耐震用フレームユニット１１０を窓用開口部に取り付けることができ、耐震用金物３２との干渉が生ずることがなく、また、耐震金物補強工事とサッシ工事とが１つの工程で完結するため、現場での施工が容易となる。また、アルミニウムの押し出し成形品とすることにより、金属製部材３０（枠材３０Ａ〜３０Ｄ）にサッシフレーム７０を構成する形状を容易に一体化できる。更に、図９、図１０に示した窓構造体も、図１〜図６に示した窓構造体２６と同様の効果を得ることができる。また、この窓構造体は引き違い窓であるので、通気性が良好となる。
【００４３】
図１１、図１２は、第４の実施の形態に係る耐震用フレームユニット１２０が示されており、この耐震用フレームユニット１２０を説明するに当たり、図１〜図６に示した耐震用フレームユニット１０と同一若しくは類似の部材については同一の符号を付し、その説明は省略する。
【００４４】
金属製部材３０を構成する枠材３０Ａ〜３０Ｄに縦すべり出し窓用のサッシフレーム８４を構成する形状が一体に形成され、サッシフレーム８４が耐震用フレームユニット１２０に一体化されている。このサッシフレーム８４には、窓ガラス（複層ガラス）２４の枠体８６を閉塞した際に枠体８６に当接される受け部８８、９０が形成されている。
【００４５】
この耐震用フレームユニット１２０によれば、金属製部材３０を構成する枠材３０Ａ〜３０Ｄに縦すべり出し窓用のサッシフレーム８４を構成する形状を一体に形成し、枠状に構成された金属製部材３０とサッシフレーム８４とを一体化させたので、予めサッシフレーム８４が一体化された耐震用フレームユニット１２０を窓用開口部に取り付けることができ、耐震用金物３２との干渉が生ずることがなく、また、耐震金物補強工事とサッシ工事とが１つの工程で完結するため、現場での施工が容易となる。また、アルミニウムの押し出し成形品とすることにより、金属製部材３０（枠材３０Ａ〜３０Ｄ）にサッシフレーム８４を構成する形状を容易に一体化できる。更に、図１１、図１２に示した窓構造体も、図１〜図６に示した窓構造体２６と同様の効果を得ることができる。また、この窓構造体は、縦すべり出し窓であるので、通気性が良好となる。
【００４６】
次に、耐震用フレームユニット１０、１００、１１０、１２０を使用した窓施工方法について説明する。
【００４７】
まず、耐震用フレームユニット１０、１００、１１０、１２０を建築物の柱１６、１８、小梁１４、及び土台１２に釘３４によって固定する。これにより、耐震用金物３２が枠状に構成された金属製部材３０（耐震用フレームユニット１０、１００、１１０、１２０）とともに窓用開口部２０に固定される。次に、固定された耐震用フレームユニット１０、１００、１１０、１２０に窓ガラス（複層ガラス）２４を取り付ける。すなわち、図１〜図８に示したＦＩＸ窓、図９、図１０に示した引き違い窓、図１１、図１２に示した縦すべり出し窓を、耐震用フレームユニット１０、１００、１１０、１２０に取り付ける。これにより、耐震性能を有する耐震用フレームユニット１０、１００、１１０、１２０に窓を容易に施工することができる。
【００４８】
図１３は、フレーム１２２付き外壁パネル１２４を、小ねじ１２６（取付手段）によって金属製部材３０に着脱可能な耐震用フレームユニット１２８が開示され、図１４は、図１３においてフレーム１２２付き外壁パネル１２４を取り外した金属製部材３０に、複層ガラス２４のサッシフレーム１３０（本例は、ドア用）を、木ねじ（取付手段）１３２によって着脱可能な耐震用フレームユニット１３４が開示されている。
【００４９】
図１３、図１４に示した耐震用フレームユニット１２８、１３４によれば、シーリング材５０及びバッカー５２を介して外装材４６の周縁部が金属製部材３０に気密、水密状態で取り付けられ、フレーム１２２付き外壁パネル１２４又はサッシフレーム１３０が金属製部材３０（耐震用フレームユニット１２８、１３４）に、小ねじ１２６、又は木ねじ１３２によって着脱自在に取り付けられるので、リフォーム等で金属製部材３０（耐震用フレームユニット１２８、１３４）に装着されたフレーム１２２付き外壁パネル１２４やサッシフレーム１３０を交換する際、内外装工事を必ずしも要しない。また、耐震用金物３２と金属製部材３０とが一体化されてフレームとして構成された耐震用フレームユニット１２８、１３４によって耐震性能が担保されているので、フレーム１２２付き外壁パネル１２４やサッシフレーム１３０を交換しても、耐震性能は変わらない。さらに、交換に際して内外装工事を要しないので、躯体と耐震用フレームユニットとの間の水密・気密性能を損なうこともない。
【００５０】
なお、図１３の小ねじ１２６に代えて、図１４に示した木ねじ１３２を使用し、金属製部材３０を介して、フレーム１２２付き外壁パネル１２４を、柱（建築物の躯体側）１６に対し着脱自在に取り付けてもよい。また、図１４では、木ねじ１３２によってサッシフレーム１３０を、金属製部材３０を介して柱１６に着脱自在に取り付けているが、図１３に示した小ねじ１２６を使用し、サッシフレーム１３０を金属製部材３０に着脱自在に取り付けてもよい。
【００５１】
なお、窓の形態は上述したＦＩＸ窓、開き窓、引き違い窓、縦すべり出し窓に限定されるものではなく、横すべり出し窓、ルーバー窓、上げ下げ窓等の他の窓やドアにも適用できる。また、図１５に示すように、壁面の一部に設けられる地窓１４０、ハイサイドライト１４２、腰窓１４４を本発明の耐震用フレームユニットによって構成することもできる。また、これらの地窓１４０、ハイサイドライト１４２、腰窓１４４は、壁面の横方向に連設することもできる。
【００５２】
更に、耐震用フレームユニット１０、１００、１１０、１２０によって画成される窓用開口部２０に窓を設けることなく、外壁材を設けて窓の無い壁構造体とすることもできる。この壁構造体であっても、耐震用金物３２によって所望の壁倍率を得ることができる。
【００５３】
［耐震性能評価試験結果］
下記の仕様により、「木造の耐力壁及びその倍率性能試験・評価業務方法書」に準拠した試験を実施する（無載荷方式）。
【００５４】
・試験体仕様
軸組寸法：幅９１０ｍｍ（芯）、階高２７７４ｍｍ
梁：米松（断面寸法１０５ｍｍ×１８０ｍｍ）
柱、土台：杉（断面寸法１０５ｍｍ×１０５ｍｍ）
軸組は、含水率２０％未満のＫＤ材
図１６に示す寸法（１辺３００ｍｍ、幅６０ｍｍ、厚さ１２ｍｍ）のＬ字状の耐震用金物が土台−柱脚、梁−柱頭部に、コーチスクリューで接合されるように本願の耐震用フレームユニットを軸組に取り付け、面材の影響を除いた耐震用金物部分のみの性能確認を行う。なお、耐震用金物として、一般構造用圧延鋼材であるＳＳ鋼（ＳＳ４００）を用いる（錆止め塗装仕上げ）。また、耐震用金物は、アルミニウムの押し出し成形品である金属製部材に形成された収容部に収容されて一体化されている。
【００５５】
・試験結果
壁倍率が１．３相当であることが確認された。図１６の耐震用金物は厚さ１２ｍｍのものであるが、木材が変形するのみで耐震用金物３２には変形は見られない。したがって、厚さが１２ｍｍ未満とするなど、さらに寸法が小さく軽量な耐震用金物も好適に使用できると考えられる。
【図面の簡単な説明】
【００５６】
【図１】第１の実施の形態の耐震用フレームユニットの正面図
【図２】図１のＡ−Ａ線に沿う断面図
【図３】図１のＢ−Ｂ線に沿う断面図
【図４】図２の耐震用フレームユニットからサッシフレームを取り外した説明図
【図５】図３の耐震用フレームユニットからサッシフレームを取り外した説明図
【図６】図１に示した耐震用フレームユニットの要部組立斜視図
【図７】第２の実施の形態に係る耐震用フレームユニットの小梁近傍の断面図
【図８】第２の実施の形態に係る耐震用フレームユニットの柱近傍の断面図
【図９】第３の実施の形態に係る耐震用フレームユニットの小梁近傍の断面図
【図１０】第３の実施の形態に係る耐震用フレームユニットの柱近傍の断面図
【図１１】第４の実施の形態に係る耐震用フレームユニットの小梁近傍の断面図
【図１２】第４の実施の形態に係る耐震用フレームユニットの柱近傍の断面図
【図１３】金属製部材にフレーム付き外壁パネルが小ねじによって着脱可能な耐震用フレームユニットを示した断面図
【図１４】金属製部材にサッシフレームが木ねじによって着脱可能な耐震用フレームユニットを示した断面図
【図１５】地窓、ハイサイドライト、腰窓が設けられた建築物の壁面を示した説明図
【図１６】実施例で説明した耐震用金物の形状を示した説明図
【符号の説明】
【００５７】
１０…耐震用フレームユニット、１２…土台、１４…小梁、１６…柱、１８…柱、２０…窓用開口部、２２…サッシフレーム、２４…複層ガラス、２５…グレージング材、２６…窓構造体、２８…大梁、３０…金属製部材、３０Ａ…上横材（枠材）、３０Ｂ、３０Ｃ…縦材(枠材)、３０Ｄ…下横材（枠材）、３１Ａ、３１Ｂ…収納用凹部、３２…耐震用金物、３２Ａ…水平片部、３２Ｂ…上下片部、３４…釘、３５…連結ピン、３６…孔、３８…孔、４０…孔、４２…構造用合板、４４…孔、４６…外装材、４８…下地材、５０…シーリング材、５２…バッカー、５４…額縁、５６…下地材、５８…ライナー、６０…内装材、６２…下地材、６４…釘、６６…開き窓、６８…受け部、７０…引き違い窓用サッシフレーム、７６…外窓の枠体、７８…ガイドレール、８０…内窓の枠体、８２…ガイドレール、８４…縦すべり出し窓用のサッシフレーム、８６…枠体、８８…受け部、９０…受け部、１００、１１０、１２０、１２８、１３２…耐震用フレームユニット、１２２…フレーム、１２４…フレーム付き外壁パネル、１２６…小ねじ、１３０…サッシフレーム、１３２…木ねじ、１４０…地窓、１４２…ハイサイドライト、１４４…腰窓
【図１】
2009046945.tif 000003
【図２】
2009046945.tif 000004
【図３】
2009046945.tif 000005
【図４】
2009046945.tif 000006
【図５】
2009046945.tif 000007
【図６】
2009046945.tif 000008
【図７】
2009046945.tif 000009
【図８】
2009046945.tif 000010
【図９】
2009046945.tif 000011
【図１０】
2009046945.tif 000012
【図１１】
2009046945.tif 000013
【図１２】
2009046945.tif 000014
【図１３】
2009046945.tif 000015
【図１４】
2009046945.tif 000016
【図１５】
2009046945.tif 000017
【図１６】
2009046945.tif 000018